(57)【特許請求の範囲】
【請求項１】
無線送受信ユニット（ＷＴＲＵ）の送信電力を制御する方法において、
経路損失測定に基づいて、オープンループアップリンク（ＵＬ）電力制御（ＰＣ）成分を決定するステップと、
補正係数を含むクローズドループＰＣ成分を決定するステップであって、前記補正係数は、ハイブリッド自動再送要求（ＨＡＲＱ）処理と関連付けられたＵＬ許可の中でシグナリングされるＰＣ補正コマンドに基づいている、決定するステップと、
変調および符号化スキーム（ＭＣＳ）に関連付けられた電力オフセットがシグナリングされる条件で、前記電力オフセットと前記オープンループＰＣ成分および前記クローズドループＰＣ成分を組み合わせて、送電電力を決定するステップと、
前記ＨＡＲＱ処理のタイミングにしたがって、前記送電電力を適用するステップと
を備えることを特徴とする方法。
【請求項２】
ＰＣ補正コマンドを受信するステップであって、前記補正係数は、前記ＰＣ補正コマンドまたは累積した補正コマンドに基づいているステップ
をさらに備えることを特徴とする請求項１に記載の方法。
【請求項３】
前記ＰＣ補正コマンドは、所定のシグナリング時間で受信されることを特徴とする請求項２に記載の方法。
【請求項４】
前記ＰＣ補正コマンドは、リンク品質に基づいて決定される複数のコマンドビットを含むことを特徴とする請求項１に記載の方法。
【請求項５】
前記オープンループＰＣ成分は、セル固有パラメータを含むことを特徴とする請求項１に記載の方法。
【請求項６】
前記セル固有パラメータは、高位レイヤから与えられることを特徴とする請求項５に記載の方法。
【請求項７】
前記オープンループＰＣ成分は、ＷＴＲＵ固有パラメータを含むことを特徴とする請求項１、５、６のいずれかに記載の方法。
【請求項８】
前記ＷＴＲＵ固有パラメータは、高位レイヤから与えられることを特徴とする請求項７に記載の方法。
【請求項９】
前記ＨＡＲＱ処理のタイミングにしたがって、前記送電電力を適用する前記ステップは、１つのＨＡＲＱサイクル時間の後に、前記送信電力を適用することを含むことを特徴とする請求項１に記載の方法。
【請求項１０】
無線送受信ユニット（ＷＴＲＵ）において、
経路損失測定に基づいてオープンループアップリンク（ＵＬ）電力制御（ＰＣ）成分を、および、補正係数を含むクローズドループＰＣ成分を決定し、前記補正係数は、ハイブリッド自動再送要求（ＨＡＲＱ）処理と関連付けられたＵＬ許可の中でシグナリングされるＰＣ補正コマンドに基づいており、
変調および符号化スキーム（ＭＣＳ）に関連付けられた電力オフセットがシグナリングされる条件で、前記電力オフセットと前記オープンループＰＣ成分および前記クローズドループＰＣ成分を組み合わせることによって、ＷＴＲＵ送電電力を決定し、
前記ＨＡＲＱ処理のタイミングにしたがって、前記送電電力を適用する
プロセッサ
を備えたことを特徴とするＷＴＲＵ。
【請求項１１】
ＰＣ補正コマンドを受信する受信機であって、前記補正係数は、前記ＰＣ補正コマンドまたは累積した補正コマンドに基づいている受信機
をさらに備えたことを特徴とする請求項１０に記載のＷＴＲＵ。
【請求項１２】
前記ＰＣ補正コマンドは、所定のシグナリング時間で受信されることを特徴とする請求項１１に記載のＷＴＲＵ。
【請求項１３】
前記ＰＣ補正コマンドは、リンク品質に基づいて決定される複数のコマンドビットを使用することを特徴とする請求項１１に記載のＷＴＲＵ。
【請求項１４】
前記プロセッサは、最強の隣接セルから決定される干渉負荷インジケータを決定することを特徴とする請求項１０に記載のＷＴＲＵ。
【請求項１５】
前記オープンループＰＣ成分は、セル固有パラメータを含むことを特徴とする請求項１０に記載のＷＴＲＵ。
【請求項１６】
前記セル固有パラメータは、高位レイヤから与えられることを特徴とする請求項１５に記載のＷＴＲＵ。
【請求項１７】
前記オープンループＰＣ成分は、ＷＴＲＵ固有パラメータを含むことを特徴とする請求項１０、１５、１６のいずれかに記載のＷＴＲＵ。
【請求項１８】
前記ＷＴＲＵ固有パラメータは、高位レイヤから与えられることを特徴とする請求項１７に記載のＷＴＲＵ。
【請求項１９】
前記ＨＡＲＱ処理のタイミングにしたがって、前記送電電力を適用することは、１つのＨＡＲＱサイクル時間の後に、前記送信電力を適用することを含むことを特徴とする請求項１０に記載のＷＴＲＵ。
【発明の詳細な説明】
【技術分野】
【０００１】
本発明は、無線通信システムに関する。
【背景技術】
【０００２】
進化型ユニバーサル地上無線アクセス（Ｅ−ＵＴＲＡ：ｅｖｏｌｖｅｄ  ｕｎｉｖｅｒｓａｌ  ｔｅｒｒｅｓｔｒｉａｌ  ｒａｄｉｏ  ａｃｃｅｓｓ）アップリンク（ＵＬ）に対しては、第３世代パートナシッププロジェクト（３ＧＰＰ）のロングタームエボリューション（ＬＴＥ：ｌｏｎｇ  ｔｅｒｍ  ｅｖｏｌｕｔｉｏｎ）作業グループ１（ＷＧ１）に提示された、いくつかの送信電力制御（ＴＰＣ：ｔｒａｎｓｍｉｔ  ｐｏｗｅｒ  ｃｏｎｔｒｏｌ）案が存在する。これらの案は一般に、（低速）オープンループＴＰＣと、低速クローズドループまたはチャネル品質情報（ＣＱＩ：ｃｈａｎｎｅｌ  ｑｕａｌｉｔｙ  ｉｎｆｏｒｍａｔｉｏｎ）ベースのＴＰＣとに分類することができる。
【０００３】
オープンループＴＰＣは、経路損失（ｐａｔｈｌｏｓｓ）測定およびシステムパラメータに基づいており、経路損失測定は、無線送受信ユニット（ＷＴＲＵ）において実行され、システムパラメータは、進化型ノードＢ（ｅＮｏｄｅＢ）によって提供される。
【０００４】
クローズドループＴＰＣは一般に、ｅＮｏｄｅＢから周期的に送信される（ＴＰＣコマンドなどの）ＴＰＣフィードバック情報に基づいており、フィードバック情報は一般に、ｅＮｏｄｅＢにおいて測定される信号対干渉雑音比（ＳＩＮＲ：ｓｉｇｎａｌ−ｔｏ−ｉｎｔｅｒｆｅｒｅｎｃｅ  ｎｏｉｓｅ  ｒａｔｉｏ）を使用して導き出される。
【０００５】
オープンループＴＰＣは、例えば送信電力履歴を要しない効果的な方法で、長期的なチャネル変動（例えば経路損失および遮蔽（ｓｈａｄｏｗｉｎｇ））を補償することができる。しかし、オープンループＴＰＣは一般に、経路損失測定誤差および送信電力設定誤差をもたらす。他方、低速クローズドループまたはＣＱＩベースのＴＰＣは、ｅＮｏｄｅＢから伝達されるフィードバックに基づいているので、測定および送信電力設定における誤差にあまり敏感ではない。しかし、低速クローズドループまたはＣＱＩベースのＴＰＣは、ＵＬ送信中断もしくはフィードバック送信中断が原因で利用可能なフィードバックが存在しない場合、またはチャネル変動がきわめて活発である場合、パフォーマンスを低下させる。
【発明の概要】
【発明が解決しようとする課題】
【０００６】
ＵＬ  Ｅ−ＵＴＲＡに対しては、第３世代パートナシッププロジェクト（３ＧＰＰ）のロングタームエボリューション（ＬＴＥ）作業グループ（ＷＧ）＃１に提示された、いくつかのセル内（ｉｎｔｒａ−ｃｅｌｌ）ＰＣ案が存在する。これらの案は一般に、低速オープンループＰＣと、低速クローズドループ（またはＣＱＩベースの）ＰＣとに分類することができる。オープンループＰＣは、例えば送信電力履歴を要しない効果的な方法で、長期的なチャネル変動（例えば経路損失および遮蔽）を補償することができるが、一般に、経路損失測定および送信電力設定における誤差に悩まされる。他方、低速クローズドループまたはＣＱＩベースのＰＣは、ｅＮｏｄｅＢから伝達されるフィードバックに基づいているので、測定および送信電力設定における誤差にあまり敏感ではない。しかし、低速クローズドループまたはＣＱＩベースＰＣは、ＵＬ送信中断またはフィードバック送信中断が原因で利用可能なフィードバックが存在しない場合、パフォーマンスを低下させる。上記の理由から、送信電力制御の改良された方法が必要とされている。
【課題を解決するための手段】
【０００７】
Ｅ−ＵＴＲＡのためのオープンループ／クローズドループを組み合わせたアップリンク電力制御方式を含む方法および装置が開示される。ＵＬセル内ＰＣのためのオープンループとクローズドループを組み合わせた方法は、無線送受信ユニット（ＷＴＲＵ）の送信電力スペクトル密度（ＰＳＤ：ｐｏｗｅｒ  ｓｐｅｃｔｒａｌ  ｄｅｎｓｉｔｙ）、ＰＳＤＴｘ（例えばＲＢ当たりの電力）を制御する。
【０００８】
本発明のより詳細な理解は、例として与えられ、添付の図面と併せて理解される、好ましい実施形態についての以下の説明から得ることができる。
【発明の効果】
【０００９】
本発明により、低速クローズドループまたはＣＱＩベースＰＣは、ＵＬ送信中断またはフィードバック送信中断が原因で利用可能なフィードバックが存在しない場合でも、パフォーマンスを低下させない、送信電力制御の改良された方法が提供される。
【図面の簡単な説明】
【００１０】
【図１】無線通信システムの一例を示す図である。
【図２】開示される電力制御（ＰＣ：ｐｏｗｅｒ  ｃｏｎｔｒｏｌ）方法を実施するよう構成された送信機および受信機のブロック図の一例を示す図である。
【図３】開示される組み合わせＰＣ方法のタイミングの一例を示す図である。
【図４】インターＴＴＩ（ｉｎｔｅｒ−ＴＴＩ）が１である場合の開示される組み合わせ電力制御方法の一例を示す図である。
【図５】インターＴＴＩが２である場合の開示される組み合わせＰＣタイミングの別の例を示す図である。
【図６】不連続送信（ＤＴＸ：ｄｉｓｃｏｎｔｉｎｕｏｕｓ  ｔｒａｎｓｍｉｓｓｉｏｎ）を含む開示される組み合わせＰＣ方式の一例を示す図である。
【図７】第ｎの更新瞬間（ｕｐｄａｔｅ  ｉｎｓｔａｎｔ）についての開示されるＰＣ方法の一例を示す図である。
【図８】ＴＰＣを決定するオープンループとクローズドループを組み合わせた開示される方法のフローチャートを示す図である。
【発明を実施するための形態】
【００１１】
これ以降で言及される場合、「無線送受信ユニット（ＷＴＲＵ）」という用語は、限定することなく、ユーザ機器（ＵＥ）、移動局、固定もしくは移動加入者ユニット、ページャ、セルラ電話、携帯情報端末（ＰＤＡ）、コンピュータ、または無線環境で動作可能な他の任意のタイプのユーザデバイスを含む。これ以降で言及される場合、「基地局」という用語は、限定することなく、ノードＢ、サイトコントローラ、アクセスポイント（ＡＰ）、または無線環境で動作可能な他の任意のタイプのインタフェースデバイスを含む。
【００１２】
図１は、ＷＴＲＵ２０と、１つまたは複数のノードＢ３０と、１つまたは複数のセル４０とを含む無線通信ネットワーク（ＮＷ）１０の一例を示している。各セル４０は、開示される送信電力制御（ＴＰＣ）方法を実施するように構成された送受信機１２０を含む１つまたは複数のノードＢ（ＮＢまたはｅＮＢ）３０を備える。ＷＴＲＵ２０は、開示されるＴＰＣ方法をやはり実施するように構成された送受信機１１０を備える。
【００１３】
図２は、開示される方法を実行するように構成された送受信機１１０、１２０の機能ブロック図である。典型的な送受信機に含まれる、すなわちＷＴＲＵまたはノードＢに含まれるコンポーネントに加えて、送受信機１１０、１２０は、無線データの送受信を容易にするために、プロセッサ１１５、１２５と、プロセッサ１１５、１２５と通信する受信機１１６、１２６と、プロセッサ１１５、１２５と通信する送信機１１７、１２７と、受信機１１６、１２６および送信機１１７、１２７と通信するアンテナ１１８、１２８とを含む。加えて、受信機１２６、送信機１２７およびアンテナ１２８は、それぞれ、単独の受信機、送信機およびアンテナとすることができ、または複数の個別の受信機、送信機およびアンテナを含むこともできる。送信機１１０は、ＷＴＲＵに配置されてもよく、または多数の送信回路１１０が、基地局に配置されてもよい。受信機１２０は、ＷＴＲＵ、ノードＢまたはその両方に配置されても良い。
【００１４】
開示されるＴＰＣ方法は、アップリンク（ＵＬ）セル内電力制御のための、オープンループとクローズドループを組み合わせた方式を含む。この方法は、ＵＬデータチャネル制御チャネルおよびサウンドリファレンスシンボル（ＳＲＳ：ｓｏｕｎｄ  ｒｅｆｅｒｅｎｃｅ  ｓｙｍｂｏｌ）の両方のために、オープンループおよび非周期的クローズドループ電力制御（ＰＣ）を使用して、ＷＴＲＵの送信電力スペクトル密度（ＰＳＤ）もしくはＰＳＤ送信（ＰＳＤＴＸ）、例えばリソースブロック（ＲＢ：ｒｅｓｏｕｒｃｅ  ｂｌｏｃｋ）当たりの電力、またはＷＴＲＵの送信電力を制御することを含む。ＵＬ  ＭＣＳ／許可（ｇｒａｎｔ）が、ノードＢにおいて受信される信号対干渉および雑音比（ＳＩＮＲ）を表すと仮定して、ＵＬチャネル品質インジケータ（ＣＱＩ：ｃｈａｎｎｅｌ  ｑｕａｌｉｔｙ  ｉｎｄｉｃａｔｏｒ）（または変調コーディングセット（ＭＣＳ：Ｍｏｄｕｌａｔｉｏｎ  Ｃｏｄｉｎｇ  Ｓｅｔ）／許可情報）が、オープンループおよび／または測定誤差を補正するために、ＷＴＲＵにおいて使用される。ＣＱＩが利用可能でない場合、オープンループだけが実施される。クローズドループ成分のために、例えばシグナリング（ｓｉｇｎａｌｉｎｇ）オーバヘッドなしなどの、暗黙的なコマンドシグナリングが使用できる。代替として、ＤＬ制御チャネルにおける明示的なＴＰＣコマンドシグナリングが、クローズドループ成分のために使用できる。加えて、開示される方法は、オープンループ誤差を迅速に補正して、良好な性能をもたらすことが可能である。
【００１５】
上で指摘されたような開示される方法は、ＷＴＲＵの送信電力スペクトル密度（ＰＳＤ）もしくはＰＳＤ送信（ＰＳＤＴｘ）、例えばリソースブロック（ＲＢ）当たりの電力、または送信電力を制御することを含む。開示される方法は、送信ＰＳＤを制御することを含むが、それは送信電力を制御することと等価であることに留意されたい。ＰＳＤＴｘは、
ＰＳＤＴｘ＝ＰＳＤｏｐｅｎ＋α・Δｃｌｏｓｅｄ＋ΔＭＣＳ；    式（１）
として定義される。ここで、ＰＳＤｏｐｅｎは、ｄＢｍ単位の経路損失ベースのオープンループＰＳＤを表し、Δｃｌｏｓｅｄは、以下で詳細に開示される、クローズドループ成分に基づいて決定される電力補正係数（ｃｏｒｒｅｃｔｉｏｎ  ｆａｃｔｏｒ）であり、ΔＭＣＳは、許可ＭＣＳ当たりの電力オフセット（ｐｏｗｅｒ  ｏｆｆｓｅｔ）であり、αは、クローズドループＰＣ（補正）コマンド信号を（明示的または暗黙的に）埋め込んだ、ダウンリンク（ＤＬ）制御チャネルの利用可能性に応じて、クローズドループ成分を使用可能（α＝１）または使用不可（α＝０）にするための重み係数である。重み係数は、クローズドループＰＣコマンド信号の存在を自律的に検出することを介して、ＷＴＲＵ２０によって決定することができる。代替として、ＷＴＲＵ２０は、コマンド信号がどこに存在するかに関して、ｅＮｏｄｅＢ３０からのより高位のシグナリングを介して通知される。送信ＰＳＤは、最大送信ＰＳＤ、ＰＳＤｍａｘを超過すべきではなく、ここで、ＰＳＤｍａｘは、ＵＥ電力クラスに依存する最大許容電力Ｐｍａｘに基づいて、ＰＳＤｍａｘ＝Ｐｍａｘ／Ｍのように導き出される。ここで、Ｍは、与えられたサブフレーム用として有効なリソースブロックの数で表される、ＵＬチャネルリソース割り当てのサイズである。
【００１６】
式（１）の提案されるセル内ＰＣ方式は、オープンループベースのＰＳＤと比べて、絶対電力補正係数を使用することができる。式（１）から、第ｎの更新段階（ｕｐｄａｔｅ  ｉｎｓｔａｎｃｅ）におけるＷＴＲＵのＴｘ  ＰＳＤは、
ＰＳＤＴｘ（ｎ）
＝ＰＳＤｏｐｅｎ（ｎ）＋α・Δｃｌｏｓｅｄ（ｎ）＋ΔＭＣＳ（ｎ）
＝ＰＳＤ’Ｔｘ（ｎ−１）＋（ＰＳＤｏｐｅｎ（ｎ）−ＰＳＤｏｐｅｎ（ｎ−１））
＋α・（Δｃｌｏｓｅｄ（ｎ）−Δｃｌｏｓｅｄ（ｎ−１）＋ΔＭＣＳ（ｎ）；
式（２）
として表すことができる。ここで、ＰＳＤ’Ｔｘ（ｎ−１）は、許可ＭＣＳ当たりの電力オフセットのない、第（ｎ−１）のＴｘ  ＰＳＤを表し、ＰＳＤ’Ｔｘ（ｎ−１）＝ＰＳＤＴｘ（ｎ−１）−ΔＭＣＳ（ｎ−１）によって与えられる。
【００１７】
一般に、個々の許可ＭＣＳの電力オフセットは、ＷＴＲＵおよびｅＮｏｄｅＢの両方によって知られている。
【００１８】
ＷＴＲＵ２０のプロセッサ１１５は、ＰＳＤＴｘを決定するために、経路損失ベースのオープンループＰＣと、クローズドループＰＣとを組み合わせる。開示される方法によれば、ＷＴＲＵ２０は最初に、経路損失測定およびシステムパラメータに基づいて、オープンループＰＣを実行する（ＰＳＤｏｐｅｎ）。ＰＳＤｏｐｅｎは、以下のように計算される。
【００１９】
【数１】
0005457537.tif 000002
【００２０】
ここで、
・ＰＳＤｔａｒｇｅｔは、サービングｅＮｏｄｅＢ３０において受信される目標ＰＳＤであり、好ましくは、ＷＴＲＵ（または複数のＷＴＲＵのうちのサブグループ）固有のパラメータである。目標ＰＳＤは、サービス品質（ＱｏＳ：Ｑｕａｌｉｔｙ  ｏｆ  Ｓｅｒｖｉｃｅ）（例えば目標ブロック誤り率（ＢＬＥＲ：ｂｌｏｃｋ  ｅｒｒｏｒ  ｒａｔｅ））に従って、アウターループ（ｏｕｔｅｒ  ｌｏｏｐ）機構を介して調整することができ、経路損失測定の関数でもあり、経路損失の一部を補償する。目標ＰＳＤ、ＰＳＤｔａｒｇｅｔのシグナリングは、調整時に、より高位のレイヤにおけるノードＢ３０からＷＴＲＵ２０へのシグナリングを介して低速ベースで行われる。
【００２１】
【数２】
0005457537.tif 000003
【００２２】
は、遮蔽を含む、ｅＮｏｄｅＢ３０からＷＴＲＵ２０までの、ｄＢ単位のフィルタリングされた経路損失であり、この場合、ＷＴＲＵ２０は最初に、その送信電力が知られているＤＬ基準信号（ＲＳ）に基づいて、瞬時的な経路損失を測定する。ＷＴＲＵ２０は次に、その経路損失にフィルタリング方法を適用する。例えば、第ｋの段階におけるフィルタリングされた経路損失
【００２３】
【数３】
0005457537.tif 000004
【００２４】
は、
【００２５】
【数４】
0005457537.tif 000005
【００２６】
として計算することができ、ここで、
【００２７】
【数５】
0005457537.tif 000006
【００２８】
およびＬｋは、第（ｋ−１）の段階におけるフィルタリングされた経路損失と、第ｋの段階における瞬時的な経路損失を表し、ρは、一般にＷＴＲＵ２０によって決定される０≦ρ≦１のフィルタ係数であり、例えば、経路損失変動、高速フェージングレートおよびＵＬ送信時間などに依存する。経路損失のフィルタリングは、ＰＨＹレイヤおよび／またはＬ２／Ｌ３レイヤにおいて行うことができる。
【００２９】
ＷＴＲＵ２０がオープンループ成分を決定すると、プロセッサ１１５は、クローズドループ成分を計算する。当業者が知っているように、ＦＤＤにおけるＵＬおよびＤＬの不完全な相互依存性（reciprocity）が原因の経路損失推定誤差と、非線形な電力増幅が原因のＷＴＲＵ  Ｔｘの機能障害（impairment）とを含む、オープンループ関連の誤差が存在する。そのような誤差を補償し、電力制御されるチャネルの品質を目標品質に沿ったものに維持するために、ＷＴＲＵは、式（１）（または式（２））にあるように、クローズドループＰＣの形式で、補正をオープンループベースのＰＳＤに適用する。
【００３０】
サービングｅＮｏｄｅＢ３０は、各ＵＬスケジュールされたＷＴＲＵ（または複数のスケジュールされたＷＴＲＵのうちのサブグループ）に対する、ＷＴＲＵ固有の（絶対および／または累積）ＰＣ補正コマンドを決定する。好ましくは、ｅＮｏｄｅＢ３０は、補正コマンドの基準として、電力制御されるデータチャネルを使用する。結果の補正コマンドは、ＤＬレイヤ１またはレイヤ２制御チャネルで送信される、ＵＬ許可および／またはＤＬスケジューリングチャネルを介して、ＷＴＲＵ２０（または複数のスケジュールされたＷＴＲＵのうちのサブグループ）にシグナリングされる。補正コマンドは、すべてのＨＡＲＱプロセス１など、特定の（予め定義された）ＨＡＲＱプロセスに関連付けられたＵＬ許可（UL  grant）においてのみシグナリングすることができる。
【００３１】
ＷＴＲＵ２０において補正コマンドを受信すると、ＷＴＲＵ２０のプロセッサ１１５は、補正コマンド（または累積補正コマンド）に基づいて、
Δｃｌｏｓｅｄ＝ｆ（ＰＣ補正コマンド）；    式（５）
として説明される補正係数Δｃｌｏｓｅｄを決定する。ここで、Δｃｌｏｓｅｄは、コマンドの３ビットを使用する、例えば｛＋／−４，＋／−１ｄＢ｝など、複数のステップレベルの集合の形を取ることができる。
【００３２】
代替として、ｅＮｏｄｅＢ３０は、ＵＬ許可および場合によってはＤＬ制御チャネルのＤＬスケジューリングにおける、３ビットなど、複数のコマンドビットを使用して、各スケジュールされたＷＴＲＵ２０（または複数のスケジュールされたＷＴＲＵのうちのサブグループ）に電力補正係数を送信することのできる。ここで、補正コマンドは、好ましくは、電力制御されるＵＬデータチャネル（および利用可能であれば、場合によってはＵＬサウンディングリファレンスシンボル）の（受信ＰＳＤまたはＳＩＮＲなどの）リンク品質に基づいて決定される。例えば、電力補正係数値の集合が、３ビットを用いる｛−７，＋／−５，＋／−３，＋／−１，０ｄＢ｝であると仮定すると、補正係数は、以下のように決定することができる。
【００３３】
【数６】
0005457537.tif 000007
【００３４】
ここで、ＥＳＩＮＲｅｓｔおよびＳＩＮＲｔａｒｇｅｔはそれぞれ、電力制御されるチャネルの、受信機における実効ＳＩＮＲ（ＥＳＩＮＲ：ｅｆｆｅｃｔｉｖｅ  ＳＩＮＲ）推定および目標ＳＩＮＲをｄＢ単位で表す。［ｘ］は、ｘに最も近い、補正集合内の補正値を示す。ＥＳＩＮＲ推定のためのｅＮｏｄｅＢにおいて観測されるサンプルは、ＤＬにおける最後の補正コマンドシグナリング以降に受信された、電力制御されるＵＬチャネルのＳＣ−ＦＤＭＡシンボル（の一部または全部）を含む。
【００３５】
コマンドシグナリングオーバヘッドを低減するために、補正コマンドは、必ずしもすべてのＵＬ許可（および使用されるならば、すべてのＤＬスケジューリング）において必要とされるわけではない。すなわち、補正コマンドは、予め設定されたシグナリング時間に（例えば、Ｎを最小ＵＬ  ＰＣ更新周期以下の設定可能なパラメータとした場合、Ｎの許可チャネル毎またはＮの送信時間間隔（ＴＴＩ：Ｔｒａｎｓｍｉｓｓｉｏｎ  Ｔｉｍｅ  Ｉｎｔｅｒｖａｌ）毎に）送信することができる。
【００３６】
補正コマンドシグナリングタイミングは、ｅＮｏｄｅＢ３０において（またはＲＲＣレベルで）ＷＴＲＵ毎に設定され、その後、より高位のレイヤのシグナリングを介して、ｅＮｏｄｅＢ３０およびＷＴＲＵ２０の両方において知られる。
【００３７】
補正コマンドがＵＬ許可においてシグナリングされる場合、ＵＬ  ＨＡＲＱが同期的であると仮定すると、シグナリングタイミング設定は、予め定義されたＨＡＲＱプロセス、例えばＨＡＲＱプロセス＃１に関連付けられたＵＬ許可など、特定のＵＬ許可においてコマンドシグナリングが行われるように、簡略化することができる。しかし、この場合であっても、必ずしもすべての関連付けられたＵＬ許可チャネルにおいて補正コマンドをシグナリングする必要はない。例えば、シグナリングは、Ｎ≧１として、Ｎの関連付けられた許可チャネル毎に行うことができ、これは、ＮのＨＡＲＱサイクル期間毎に１つのコマンドシグナリングと等価である。シグナリングタイミング（または関連付けられたパラメータ）は、半静的レート（ｓｅｍｉ  ｓｔａｔｉｃ  ｒａｔｅ）で再設定することができる。
【００３８】
図３は、ＰＣ補正コマンドがＨＡＲＱプロセス＃１に関連付けられたＵＬ許可において伝送され、Ｎが２に設定される場合の、開示されるＰＣ方法の一例を示している。この例では、ＨＡＲＱプロセスの数が４であり、インター送信時間間隔（ＴＴＩ）（ｉｎｔｅｒ−ｔｒａｎｓｍｉｓｓｉｏｎ  ｔｉｍｅ  ｉｎｔｅｒｖａｌ）が１に等しいと仮定すると、ＰＣ更新レートは８ｍｓｅｃである。
【００３９】
ＷＴＲＵ２０が、最後のＴｘ  ＰＳＤ調整以降に、ＵＬ許可において１つの補正コマンド（または場合によっては複数のＵＬ許可において累積補正コマンド）をサービングｅＮｏｄｅＢ３０から受信する場合、ＷＴＲＵ２０は、次のＰＳＤ調整のために、受信補正コマンドから（または２つ以上のコマンドが受信された場合は、複数の補正コマンドを組み合わせた後に）補正係数Δｃｌｏｓｅｄを導き出す。
【００４０】
その後、ＷＴＲＵ２０は、導き出された補正係数、直近のオープンループＰＳＤ、および許可ＭＣＳに関連付けられた電力オフセットを使用して、式（１）（または式（２））に従って、データチャネルの送信ＰＳＤを調整する。結果のＴｘ  ＰＳＤは、データチャネルのための次のＵＬ  ＴＴＩのまさに先頭（第１のＳＣ−ＦＤＭＡシンボル）に適用され、図３に示されるように、次のＰＳＤ調整まで、一定に維持される。
【００４１】
図４は、ＵＬ  ＨＡＲＱが４つのＨＡＲＱプロセスを有する同期的方式であり、ＷＴＲＵ２０がすべてのＴＴＩにおいて（例えばインターＴＴＩ＝１）データパケット（例えばＨＡＲＱプロセス）を送信するようにスケジュールされることを仮定した、開示される組み合わせＰＣ方法のタイミングの一例を示している。加えて、ｅＮｏｄｅＢ３０は、ＨＡＲＱプロセス１に関連付けられたＵＬ許可においてのみ、ＰＣ補正コマンドを送信する。この場合、ＷＴＲＵ  Ｔｘ電力更新周期は、４ＴＴＩ（例えば４ｍｓｅｃ）である。
【００４２】
図４に示されるように、初期ＵＬ送信において、利用可能なＰＣ補正コマンドが存在しないことがあり得るので、ＷＴＲＵ２０は、オープンループ成分のみに基づいて（すなわち、式（１）における重み係数αはゼロ）、その送信電力を設定する。次のＨＡＲＱ送信時間（１つのＨＡＲＱサイクル時間）の前、ｅＮｏｄｅＢ３０は、ＨＡＲＱプロセス１に関連付けられたＤＬ制御チャネルの許可チャネル内で補正コマンドを送信し、その場合、コマンドは、最初の２つのＨＡＲＱプロセスのリンク品質（電力またはＳＩＮＲ）に基づいて決定される。ＷＴＲＵ２０が補正コマンドを正しく受信した場合、ＷＴＲＵ２０は、オープンループとクローズドループを組み合わせた方式に基づいて、その送信ＰＳＤＴｘを計算し、そのＰＳＤＴｘを以降のＨＡＲＱプロセスに適用する。
【００４３】
図５は、インターＴＴＩが２である場合の、開示される組み合わせＰＣタイミングの別の例を示している。この場合、ＵＬ  ＰＣ更新周期は、８ＴＴＩ（８ｍｓｅｃ）である。
【００４４】
（例えば、最近スケジュールされたＵＬデータ送信、例えば、ＵＬ  ＤＴＸが原因で）
最近のクローズドループ補正コマンドが存在しない場合、ＷＴＲＵ２０は、オープンループに依存することによって、そのＴｘ  ＰＳＤを設定することができる。この場合、式（１）における重み係数αは、初期Ｔｘ  ＰＳＤ設定の場合のように、ゼロに設定される。
【００４５】
代替として、ＷＴＲＵ２０は、ＤＴＸ以前の時間とＵＬ送信再開以前の時間の間の経路損失変動に基づいて、Ｔｘ  ＰＳＤを設定することもできる。ＵＬ  ＤＴＸが短い場合、ＷＴＲＵは、
ＰＳＤＴｘ（ｎ）＝ＰＳＤ’Ｔｘ（ｎ−１）＋（ＰＳＤｏｐｅｎ（ｎ）−ＰＳＤｏｐｅｎ（ｎ−１））＋ΔＭＣＳ（ｎ）              式（７）
のように、αをゼロに設定することによって、式（２）を使用することができ、ここで、ｎは、ＵＬ送信再開以前のＴｘ  ＰＳＤ設定時間であり、（ｎ−１）は、ＤＴＸ以前のＰＳＤ設定時間である。この場合のタイミングの一例が、図６に示されている。
【００４６】
別の代替では、ＷＴＲＵ２０は、利用可能ならば、物理アップリンク制御チャネル（ＰＵＣＣＨ：ｐｈｙｓｉｃａｌ  ｕｐｌｉｎｋ  ｃｏｎｔｒｏｌ  ｃｈａｎｎｅｌ）に、直近のＰＳＤに関する電力オフセットを適用することもできる。ＵＬデータ送信が存在しない場合であっても、ＤＬのための（ＣＱＩおよびＡＣＫ／ＮＡＣＫなどの）ＵＬ制御信号は存在することがある。この場合、ＵＬ制御チャネルも、式（１）に基づいて（しかし異なるパラメータおよび更新レートを使用して）電力制御されるので、ＵＬ制御チャネルＴｘ  ＰＳＤは、データチャネルＴｘ  ＰＳＤのために、以下のように使用することができる。  
【００４７】
ＰＳＤＴｘ（データ）＝ＰＳＤＴｘ（制御）＋Δｃｏｎｔｒｏｌ（データ，制御）
式（８）
ここで、ＰＳＤＴｘ（制御）は、ＵＬ制御チャネルの直近のＰＳＤ（または最近の更新にわたって平均を取ったＰＳＤ）であり、Δｃｏｎｔｒｏｌ（データ，制御）は、データのＴｘ  ＰＳＤに対する制御チャネル電力オフセットを表す。
【００４８】
ＤＴＸ期間が長い場合、ＷＴＲＵ２０のＰＳＤＴｘは、初期ＰＳＤＴｘ設定の場合のように、オープンループのみに基づいて、ＤＴＸの直後に決定することができる。
【００４９】
図７は、ＤＴＸを含む、提案される組み合わせＰＣ方式の一例を示している。
【００５０】
一般に、ＤＬ制御チャネル内のＵＬ許可割り当て（例えば割り当てＭＣＳおよびＴＢＳ）は、ＵＬデータ送信の（受信ＰＳＤまたはＳＩＮＲなどの）リンク品質と関連付けられる。許可割り当てがｅＮｏｄｅＢ３０において受信されたリンク品質（例えばＳＩＮＲ）を表すように、ｅＮｏｄｅＢ３０のプロセッサ１２５が、ＵＬ許可（ＭＣＳおよびＴＢＳ）をＷＴＲＵ２０に割り当てることができる、別の方法が開示される。この場合、ＷＴＲＵ２０は、そのＴｘ  ＰＳＤを以下のように導き出すことができる。
【００５１】
ＰＳＤＴｘ＝ＰＳＤｏｐｅｎ＋α・ｆ（ＵＬ許可割り当て，ＳＩＮＲＴ）＋ΔＭＣＳ  （ｄＢｍ）；        式（９）
ここで、ＰＳＤｏｐｅｎ、α、およびΔＭＣＳはそれぞれ、上で定義されたものと同じである。ｆ（ＵＬ許可割り当て，ＳＩＮＲＴ）は、式（１）の電力補正係数Δｃｌｏｓｅｄを置き換えた、ｄＢ単位の補正係数である。ＳＩＮＲＴは、ｄＢ単位の目標ＳＩＮＲである。許可ベースの補正係数ｆ（ＵＬ許可割り当て，ＳＩＮＲＴ）は、以下によって表すことができ、
ｆ（ＵＬ許可割り当て，ＳＩＮＲＴ）＝ＳＩＮＲＴ−Ｅ｛ＳＩＮＲｅｓｔ（ＵＬ許可割り当て）｝      式（１０）
ここで、ＳＩＮＲｅｓｔ（ＵＬ許可割り当て）は、ＷＴＲＵ２０がＵＬ許可割り当てから導き出す、ｅＮｏｄｅＢで受信されるＳＩＮＲ推定を表す。Ｅ｛ＳＩＮＲｅｓｔ｝は、
Ｅ｛ＳＩＮＲｅｓｔ（ｇｒａｎｔｋ）｝＝ρ・Ｅ｛ＳＩＮＲｅｓｔ（ｇｒａｎｔｋ−１）｝＋（１−ρ）・Ｅ｛ＳＩＮＲｅｓｔ（ｇｒａｎｔｋ）｝          式（１１）
のように、時間にわたって平均が取られた推定ＳＩＮＲを表し、ここで、ｇｒａｎｔｋは、第ｋの受信ＵＬ許可割り当てを表し、ρは、０≦ρ≦１の平均フィルタリング係数である。ＷＴＲＵにおけるＳＩＮＲｅｓｔ（ＵＬ許可割り当て）の推定は、半静的ベース（ｓｅｍｉ−ｓｔａｔｉｃ  ｂａｓｉｓ）でより高位のシグナリングを介してネットワークによって設定可能な、許可（ＭＣＳ，ＴＢＳ）マッピングテーブルに基づくことができる。
【００５２】
式（１）と同様に、式（８）の補正係数は、オープンループ誤差を補償するために使用することができる。式（８）を使用する主な利点は、式（１）（または式（２））は、ＵＬ許可（および／またはＤＬスケジューリング）においてシグナリングされる明示的なコマンドを必要とするが、式（８）は、ＤＬ  Ｌ１／Ｌ２制御チャネルでのＵＬ許可において、明示的な補正コマンドシグナリングを必要としない（シグナリングオーバヘッドの低減をもたらす）ことである。式（３）を使用する場合、クローズドループ成分は、ＤＬ  Ｌ１／Ｌ２制御チャネルでのＵＬ許可において、明示的な補正コマンドシグナリングなしの、ＵＬ許可割り当て（例えばＭＣＳおよび／またはＴＢＳ）に基づくことができる。
【００５３】
しかし、式（９）は、スケジューリングと許可（例えばＭＣＳ）の持続的な不一致（すなわち、割り当てられたＭＣＳが受信ＳＩＮＲを正確に表さない）など、場合によっては適用可能でないことがある。したがって、ＷＴＲＵ  Ｔｘ  ＰＳＤ設定は、式（１）と式（８）の間で切り替えることができる。
【００５４】
より高位のレイヤの補正係数タイプシグナリングを介して、ｅＮｏｄｅＢ３０（またはネットワーク１０）は、（式（１）または式（８）の）どちらがＷＴＲＵ  Ｔｘ電力設定のために使用されるかを、ＷＴＲＵ２０にシグナリングする。この場合、補正係数タイプ信号は、半静的ベースおよびＷＴＲＵ毎ベースで、ネットワーク１０によって設定可能であることが好ましい。
【００５５】
代替として、１ビットのＭＣＳ不一致インジケータ（ＭＣＳ  ｍｉｓｍａｔｃｈｉｎｇ  ｉｎｄｉｃａｔｏｒ）を、ＤＬ  Ｌ１／２制御信号に導入することもできる。例えば、ビット１は、式（１）を使用することを指示することができ、ビット０は、式（８）を指示するために使用することができる。
【００５６】
別の代替では、明示的な補正コマンドレベルの１つが、式（８）の使用を指示するために使用できる。この代替は、式（１）がデフォルトのＰＣ方法であることを仮定している。そのため、ｅＮｏｄｅＢ３０は、式（８）の使用を指示するために、ＵＬ許可において補正コマンドレベルの１つを設定する。例えば、式（８）の補正コマンドが３ビット長である場合、８つのコマンドレベルの１つ、例えば「０００」が設定されると、ＷＴＲＵ２０は、式（８）を使用する。
【００５７】
図８は、ＴＰＣを決定するためのオープンループおよびクローズドループを組み合わせた開示される方法のフローチャートを示している。ＷＴＲＵ２０のプロセッサ１１５は、目標電力スペクトル密度ＰＳＤＴａｒｇｅｔ（ステップ８００）と、フィルタリングされた経路損失（Ｌ）（ステップ８０１）とを決定することによって、経路損失測定に基づいてオープンループ電力制御を実行する。その後、ＷＴＲＵ２０は、ＵＬ許可チャネルを介して受信機１１６において受信された電力制御補正コマンドを使用して、クローズドループ成分を決定する（ステップ８０２）。補正コマンドを受信すると、受信機１１６は、補正係数Δｃｌｏｓｅｄを決定するために、補正コマンドをプロセッサ１１５に転送する（ステップ８０３）。その後、プロセッサ１１５は、補正係数Δｃｌｏｓｅｄを計算する（ステップ８０４）。その後、プロセッサ１１５は、送信電力制御を決定するために、オープンループＰＣをクローズドループ成分と組み合わせる（ステップ８０５）。
【００５８】
スケジュールされないデータ（例えばＶｏＩＰ）のためのＴＰＣの開示される方法において、ＷＴＲＵがそのＴｘ  ＰＳＤを設定するためのいくつかの選択肢が、以下のように存在する。ｉ）オープンループＰＳＤのみに依存する。ｉｉ）クローズドループ部分については、ｅＮｏｄｅＢが、（時間的に）特定の瞬間にＵＬ許可を送信し、ＵＬ許可が、補正コマンドを搬送する。この場合、ＵＬ許可形式（および／または補正コマンド形式）は、スケジュールされたデータの形式と異なって良い。ｉｉｉ）利用可能ならば、ＰＵＣＣＨに直近のＰＳＤ（または最近の更新にわたって平均を取ったＰＳＤ）に関する電力オフセットを適用する。
【００５９】
【数７】
0005457537.tif 000008
【００６０】
ここで、Ｐ０は、より高位のレイヤのシグナリングを介してｅＮｏｄｅＢによってシグナリングされる、ＵＬ干渉レベルなどを含むセル固有の（ｄＢｍ単位の）パラメータである。
【００６１】
・ＳＩＮＲＴａｒｇｅｔは、ｅＮｏｄｅＢがＵＥ（または複数のＵＥのうちのサブグループ）のためのサービスのクラスを設定することを可能にする、ＷＴＲＵ（または複数のＷＴＲＵのうちのサブグループ）固有の（ｄＢ単位の）パラメータである。ＳＩＮＲＴａｒｇｅｔは、サービングセルおよびいくつかの近隣セルまでの経路損失の関数とすることができる。ＳＩＮＲＴａｒｇｅｔは、半静的ベースでサービングｅＮｏｄｅＢによって設定することができ、その後、より高位のレイヤのシグナリングを介してＵＥ（または複数のＵＥのうちのサブグループ）にシグナリングすることができる。
【００６２】
・ＰＬは、（ｄＢ単位の）ダウンリンク経路損失である。
【００６３】
・λは、部分電力制御のためのセル固有の経路損失補償係数であり、０＜α≦１である。αは、半静的ベースでｅＮｏｄｅＢによって設定され、より高位のレイヤのシグナリングを介してシグナリングすることができる。
【００６４】
・Δｃｌｏｓｅｄは、クローズドループ機構に基づいて決定される、ｄＢ単位の電力補正係数である。
【００６５】
・∝は、クローズドループ補正コマンドを伝送するＤＬ制御チャネルの利用可能性に応じて、クローズドループ成分を使用可能（∝＝１）または使用不可（∝＝０）にするための重み係数である。重み係数は、ＰＣ補正コマンドの存在を検出することを介して、ＷＴＲＵによって自律的に決定される。ＷＴＲＵは、コマンド信号がどこにいつ存在するかに関して、より高位のシグナリングを介してｅＮｏｄｅＢから通知される。例えば、初期ＵＬ送信において、ｅＮｏｄｅＢからの利用可能な補正コマンドは存在しないことがあるので、ＷＴＲＵは、∝＝０を設定する。
【００６６】
・ΔＭＣＳは、許可ＭＣＳ当たりの電力オフセットである。一般に、個々の許可ＭＣＳのための電力オフセットは、ＷＴＲＵおよびｅＮｏｄｅＢの両方によって知られている。
【００６７】
ｅＮｏｄｅＢ３０は、与えられた段階において使用されるΔＭＣＳを知っているので、受信ＰＳＤからΔＭＣＳの値を取り除くことができ、結果の受信ＰＳＤ（またはＳＩＮＲ）をネットワーク１０によって決定された目標レベルと比較することによって補正コマンドを決定する。
【００６８】
上で説明されたように、この開示された方法は、オープンループベースのＰＳＤと比べて、絶対電力補正係数を使用する。そのため、式（１２）から、第ｎの更新段階におけるＷＴＲＵ  Ｔｘ  ＰＳＤは、以下のように表され、
ＰＳＤＴｘ（ｎ）
＝ＰＳＤｏｐｅｎ（ｎ）＋α・Δｃｌｏｓｅｄ（ｎ）＋ΔＭＣＳ（ｎ）
＝ＰＳＤ’Ｔｘ（ｎ−１）＋（ＰＳＤｏｐｅｎ（ｎ）−ＰＳＤｏｐｅｎ（ｎ−１））
＋α・（Δｃｌｏｓｅｄ（ｎ）−Δｃｌｏｓｅｄ（ｎ−１））＋ΔＭＣＳ（ｎ）；
式（１３）
ここで、ＰＳＤ’Ｔｘ（ｎ−１）は、許可ＭＣＳ当たりの電力オフセットのない、第（ｎ−１）のＴｘ  ＰＳＤを表し、ＰＳＤ’Ｔｘ（ｎ−１）＝ＰＳＤＴｘ（ｎ−１）−ΔＭＣＳ（ｎ−１）によって与えられる。
【００６９】
総ＷＴＲＵ送信電力は、Ｐｍａｘによって表されるＷＴＲＵの最大送信電力レベルによって制約されるので、ＰＴｘによって表される総ＷＴＲＵ送信電力は、
ＰＴｘ＝ｍｉｎ｛Ｐｍａｘ，（１０・ｌｏｇ１０（Ｍ）＋ＰＳＤＴｘ）｝  （ｄＢｍ）；    式（１４）
として表される。ここで、Ｍは、割り当てられたＲＢの数である。
【００７０】
したがって、実際のＷＴＲＵ送信ＰＳＤは、
【００７１】
【数８】
0005457537.tif 000009
【００７２】
として表すことができる。
【００７３】
式（１５）のＵＬ  ＰＣは、ＷＴＲＵ２０のプロセッサ１１５によって実施されることに留意されたい。
【００７４】
スケジュールされないデータのための開示されるＰＣ方法によれば、ＷＴＲＵ２０は、オープンループＰＳＤを以下のように計算し、
ＰＳＤｏｐｅｎ＝Ｐ０＋ＳＩＮＲＴａｒｇｅｔ＋λ・ＰＬ  （ｄＢｍ）；    式（１６）
ここで、
・目標ＳＩＮＲ、ＳＩＮＲＴａｒｇｅｔは、（目標ＢＬＥＲのような）サービス品質（ＱｏＳ）に従って、サービングｅＮｏｄｅＢ３０においてアウターループ機構を介して調整することができ、サービングセルおよび近隣セルまでの経路損失測定の関数でもある。
【００７５】
・ＰＬは、サービングｅＮｏｄｅＢからＷＴＲＵまでの、遮蔽を含む、ｄＢ単位のフィルタリングされた経路損失である。ＷＴＲＵは、その送信電力がＷＴＲＵにおいて知られているＤＬ  ＲＳに基づいて、瞬時的な経路損失を継続的（または定期的）に測定する。その後、フィルタリング方法が、
ＰＬｋ＝ρ・ＰＬｋ−１＋（１−ρ）・ＰＬｋ    式（１７）
のように、経路損失測定に適用され、ここで、ＰＬｋおよびＰＬｋ−１はそれぞれ、第ｋの段階および第（ｋ−１）の瞬間におけるフィルタリングされた経路損失を表す。Ｌｋは、第ｋの瞬間における瞬時的な経路損失である。ρは、一般にＷＴＲＵ２０によって決定される、０≦ρ≦１のフィルタ係数であり、経路損失変動、高速フェージングレートおよびＵＬ送信時間などに依存する。代替として、経路損失フィルタリングのために移動平均法を考えることもできる。
【００７６】
クローズドループ成分は、上で開示されたのと同様に、プロセッサ１１５によって決定される。
【００７７】
【数９】
0005457537.tif 000010
【００７８】
ここで、ＥＳＩＮＲｅｓｔおよびＳＩＮＲｔａｒｇｅｔはそれぞれ、電力制御されるチャネルの、受信機における実効ＳＩＮＲ（ＥＳＩＮＲ）推定および目標ＳＩＮＲをｄＢ単位で表す。［ｘ］は、ｘに最も近い、補正集合内の補正値を示す。
【００７９】
上で開示された方法と同様に、補正コマンドがＵＬ許可においてシグナリングされる場合、ＵＬ  ＨＡＲＱが同期的であると仮定すると、シグナリングタイミング設定は、予め定義されたＨＡＲＱプロセスに関連付けられたＵＬ許可など、特定のＵＬ許可においてコマンドシグナリングが行われるように、簡略化することができる。
【００８０】
スケジュールされないデータ（例えばＶＯＩＰ）について、（例えば、最近スケジュールされたＵＬデータ送信、例えば、ＵＬ  ＤＴＸが原因で）最近のクローズドループ補正コマンドが存在しない場合、ＷＴＲＵ２０は、オープンループに依存することによって、そのＴｘ  ＰＳＤを設定することができ、この場合、式（１３）における重み係数∝は、初期Ｔｘ  ＰＳＤ設定の場合のように、ゼロに設定される。ＷＴＲＵ２０は、代替として、ＤＴＸ以前の時間とＵＬ送信再開以前の時間の間の経路損失変動に基づいて、そのＴｘ  ＰＳＤを設定することもできる。ＵＬ  ＤＴＸが短い場合、ＷＴＲＵは、
ＰＳＤＴｘ（ｎ）＝ＰＳＤ’Ｔｘ（ｎ−１）＋（ＰＳＤｏｐｅｎ（ｎ）−ＰＳＤｏｐｅｎ（ｎ−１））＋ΔＭＣＳ（ｎ）；            式（１９）
のように、βをゼロに設定することによって、式（２）を使用することができる。ここで、ｎは、ＵＬ送信再開以前のＴｘ  ＰＳＤ設定時間であり、（ｎ−１）は、ＤＴＸ以前のＰＳＤ設定時間である。この場合のタイミングの一例が、図４に示されている。
【００８１】
代替として、ＷＴＲＵ２０は、利用可能ならば、ＰＵＣＣＨに直近のＰＳＤに関する電力オフセットを適用することができる。ＵＬデータ送信が存在しない場合であっても、ＤＬのための（ＣＱＩおよびＡＣＫ／ＮＡＣＫなどの）ＵＬ制御信号は存在することがある。この場合、ＵＬ制御チャネル（ＰＵＣＣＨ）も、式（１２）に基づいて（しかし異なるパラメータおよび更新レートを使用して）電力制御されるので、ＵＬ制御チャネル（ＰＵＣＣＨ）Ｔｘ  ＰＳＤは、データチャネル（ＰＵＳＣＨ）Ｔｘ  ＰＳＤのために、以下のように使用することができる。
【００８２】
ＰＳＤＴｘ（ＰＵＳＣＨ）＝ＰＳＤＴｘ（ＰＵＣＣＨ）＋Δｃｏｎｔｒｏｌ（ＰＵＳＣＨ，ＰＵＣＣＨ）                        式（２０）
ここで、ＰＳＤＴｘ（ＰＵＣＣＨ）は、ＵＬ制御チャネル（ＰＵＣＣＨ）の直近のＰＳＤ（または最近の更新にわたって平均を取ったＰＳＤ）であり、Δｃｏｎｔｒｏｌ（ＰＵＳＣＨ，ＰＵＣＣＨ）は、ＰＵＳＣＨのＴｘ  ＰＳＤに対する制御チャネル（ＰＵＣＣＨ）電力オフセットを表す。
【００８３】
サウンディングパイロット（ｓｏｕｎｄｉｎｇ  ｐｉｌｏｔ）の場合、そのＴｘ  ＰＳＤ、ＰＳＤＴｘ（パイロット）は、データＴｘ  ＰＳＤ、ＰＳＤＴｘ（データ）に対するパイロット電力オフセットによって、
ＰＳＤＴｘ（パイロット）＝ＰＳＤＴｘ（データ）＋Δｐｉｌｏｔ（データ，パイロット）    式（２１）
のように、バイアスがかけられることがある。
【００８４】
ここで、Δｐｉｌｏｔ（データ，パイロット）は、半静的ベースでｅＮｏｄｅＢによって設定されるＷＴＲＵ固有のパラメータとすることができる、パイロット電力オフセットを表す。
【００８５】
ＵＬにおける制御シグナリングの場合、（目標ＰＳＤなどの）異なるパラメータと、データ用よりも高速な更新レートを使用することが好ましい。加えて、制御信号用の補正コマンドのために測定される参照チャネルは、制御チャネル自体であり、制御用の補正コマンドは、ＤＬスケジューリングにおいて伝送されることが好ましい。制御用の補正コマンドのビットの数は、データ用のものと異なってよく、その場合、コマンドビットの数は、ＷＴＲＵ毎ベースの半静的に設定可能なパラメータとすることができる。しかし、データチャネルと制御チャネルとの間の相対平均電力オフセットを、
Ｅ（ＰＳＤＴｘ（データ））＝Ｅ（ＰＳＤＴｘ（制御））＋Δｃｏｎｔｒｏｌ（データ，制御）
式（２２）
のように、維持することができる。ここで、
＊Ｅ（ＰＳＤＴｘ（データ））は、データチャネルについてのｄＢｍ単位の平均ＰＳＤを表し、
＊Ｅ（ＰＳＤＴｘ（制御））は、制御チャネルについてのｄＢｍ単位の平均ＰＳＤを表す。
【００８６】
＊Δｃｏｎｔｒｏｌ（データ，制御）は、データチャネルと制御チャネルとの間の電力オフセットである。
【００８７】
ＵＬ  ＰＣの別の開示される方法では、共用データチャネルのための干渉緩和（Ｉｎｔｅｒｆｅｒｅｎｃｅ  Ｍｉｔｉｇａｔｉｏｎ）を備える、オープンループ／クローズドループを組み合わせたＵＬ  ＰＣが使用される。この方法によれば、ＷＴＲＵ２０は、ＵＬチャネルのためのその送信ＰＳＤを制御する。ＷＴＲＵ２０の帯域幅割り当て（例えばＲＢ割り当て）が変化する場合、ＷＴＲＵの総送信電力は、ＰＳＤが一定に保たれるように変化する。
【００８８】
上で開示された方法において説明されたように、ＷＴＲＵ２０は、経路損失測定およびシステムパラメータに基づいて、オープンループＰＣを実行する。その後、ＷＴＲＵ２０は、オープンループ誤差を補償するために、何らかの形式のクローズドループＰＣを使用して、そのＰＳＤを補正する。ＵＬスケジュールされた各ＷＴＲＵに対して、ＣＱＩ情報が、ＡＭＣおよびスケジューリングのために、ｅＮｏｄｅＢ３０から周期的にシグナリングされることに留意されたい。したがって、この開示される方法のクローズドループＰＣ成分は、ｅＮｏｄｅＢによってシグナリングされるどのような付加的なＰＣコマンドも必要としない。近隣セルにおけるセル間干渉を緩和するため、ＷＴＲＵ２０は、最強の近隣セルからの干渉負荷インジケータ（ｉｎｔｅｒｆｅｒｅｎｃｅ  ｌｏａｄ  ｉｎｄｉｃａｔｏｒ）を含む。
【００８９】
この方法によれば、ＵＬ共用データチャネルの場合、初期送信フェーズにおいて、ＷＴＲＵ２０は、ＤＬ参照信号（ＲＳ：ｒｅｆｅｒｅｎｃｅ  ｓｉｇｎａｌ）に基づいて、その送信ＰＳＤ、ＰＳＤＴｘを以下のように導き出す。
【００９０】
ＰＳＤＴｘ＝ＳＩＮＲＴ＋ＰＬ＋ＩＮ０＋Ｋ＋Δ（ＩｏＴＳ）−１０・ｌｏｇ１０（ＢＷＲＵ・ＮＲＵ）；                式（２３）
ここで、ＳＩＮＲＴは、サービングｅＮｏｄｅＢ３０における、ｄＢ単位の目標ＳＩＮＲである。ＰＬは、サービングｅＮｏｄｅＢ３０からＷＴＲＵ２０までの、遮蔽を含む、ｄＢ単位の経路損失であり、その場合、ＷＴＲＵ２０は、ＤＬレイヤ２／レイヤ３シグナリングを介して、その送信電力がＷＴＲＵ２０において知られているＤＬ  ＲＳに基づいて、経路損失を測定する。ＩＮ０は、サービングｅＮｏｄｅＢ３０において測定される、ｄＢｍ単位のＵＬ干渉および雑音電力である。Ｋは、サービングｅＮｏｄｅＢ３０によって設定される電力制御マージンである。
【００９１】
ＷＴＲＵ２０（または複数のＷＴＲＵのうちのサブグループ）の目標ＳＩＮＲは、サービングｅＮｏｄｅＢ３０において、（ＢＬＥＲなどの）リンク品質メトリックに従って、アウターループＰＣ方式を使用して、調整可能であることが好ましい。加えて、ＵＬ多入力多出力（ＭＩＭＯ：Ｍｕｌｔｉｐｌｅ  Ｉｎ  Ｍｕｌｔｉｐｌｅ  Ｏｕｔ）の場合、目標ＳＩＮＲは、選択されたＭＩＭＯモードにも依存し、それは、異なるＭＩＭＯモードは与えられたリンク品質に対して異なるＳＩＮＲを必要とするという事実を考慮している。Δ（ＩｏＴＳ）は、ＵＬ負荷制御ステップサイズを表し、これは、最強の近隣セルのＵＬ干渉負荷（例えばインターフェレンスオーバサーマル（ｉｎｔｅｒｆｅｒｅｎｃｅ  ｏｖｅｒ  ｔｈｅｒｍａｌ））インジケータＩｏＴＳの関数である。ここで、最強の近隣セルは、個々の近隣セルからＷＴＲＵ２０までの経路損失測定に基づいて、ＷＴＲＵ２０において決定される。各セル４０は、ＷＴＲＵ２０が選択された最強の近隣セルからのインジケータビットを復号できるように、（ＨＳＵＰＡにおける相対的許可と同様に）ＵＬ干渉負荷ビットを周期的にブロードキャストすることが仮定される。
【００９２】
例えば、Δ（ＩｏＴＳ）は、以下のような値をもつことができる。
【００９３】
【数１０】
0005457537.tif 000011
【００９４】
ここで、δは、例えばδ＝−１または−２ｄＢなどの、予め定義されたシステムパラメータである。Δ（ＩｏＴＳ）を用いて、近隣セルにおけるセル間干渉は、緩和することができる。
【００９５】
セル中心のＷＴＲＵは、セル周縁のＷＴＲＵよりも僅かな干渉しか他のセルに及ぼさないので、負荷制御ステップサイズの一部は、以下のように考えることができる。
【００９６】
【数１１】
0005457537.tif 000012
【００９７】
ＷＴＲＵ２０は、そのサービングセルと最強の近隣セルの間の経路損失比に基づいて、それがセル周縁にいるか、それともセル内部にいるかについて、例えば、
Ｉｆ（サービングセルの経路損失−最強近隣セルの経路損失）＜Ｒ（ｄＢ），ｘ＝４；
のように判定することができる。ここで、Ｒは、セル内部ゾーンとセル周縁ゾーンの間の仮想境界レイヤ（ｖｉｒｔｕａｌ  ｂｏｕｎｄａｒｙ  ｌａｙｅｒ）を表す。パラメータＲは、半静的にｅＮｏｄｅＢ３０によってブロードキャストすることができる。
【００９８】
初期送信フェーズの後、ＷＴＲＵ２０のＰＳＤＴｘが、以下のように計算される。
【００９９】
ＰＳＤＴｘ＝ＳＩＮＲＴ＋ＰＬ＋ＩＮ０＋Ｋ＋Δ（ＩｏＴＳ）＋α・ｆ（ＣＱＩ，ＳＩＮＲＴ）−１０・ｌｏｇ１０（ＢＷＲＵ・ＮＲＵ）          式（２４）
ここで、ｆ（ＣＱＩ，ＳＩＮＲＴ）は、ＵＬ  ＣＱＩおよび対応する目標ＳＩＮＲに基づいた補正係数であり、ＣＱＩおよび目標ＳＩＮＲの両方は、サービングｅＮｏｄｅＢ３０からシグナリングされる。αは、チャネル状態およびＣＱＩ利用可能性（またはＵＬ送信中断）に従って決定することができる、０≦α≦１の重み係数である。例えば、スケジュールされたＵＬデータ送信がないことが原因で、ｅＮｏｄｅＢ３０からの利用可能なＵＬ  ＣＱＩ（ＵＬ  ＭＣＳまたは許可情報）が存在しない場合、重み係数αは、ゼロに設定されて、ＷＴＲＵ２０が（ランダムアクセスチャネル（ＲＡＣＨ）のためのＰＣなど）オープンループＰＣにのみ依存することを意味する。それ以外の場合は、１以下に設定される。
【０１００】
式２４の補正係数ｆ（ＣＱＩ，ＳＩＮＲＴ）は、ＦＤＤにおけるＵＬおよびＤＬの不完全な相互依存性（reciprocity）が原因の経路損失測定誤差と、非線形なＷＴＲＵ送信機の電力増幅が原因のＷＴＲＵ２０の送信機の機能障害（impairment）とを含む、オープンループＰＣ関連の誤差を補償するために使用される。加えて、補正係数は、異なるチャネル状態が原因の目標品質の不一致を補償するために使用される。したがって、電力制御されるチャネルの品質は、（目標ＳＩＮＲのような）与えられた目標品質に沿ったものに維持される。
【０１０１】
ＵＬ  ＣＱＩ（ＵＬ  ＭＣＳまたは許可情報）はｅＮｏｄｅＢ３０において受信されたＳＩＮＲを表すという事実を考慮すると、補正係数は、
ｆ（ＣＱＩ，ＳＩＮＴＴ）＝ＳＩＮＲＴ−Ｅ｛ＳＩＮＲｅｓｔ（ＣＱＩ）｝  （ｄＢ）；    式（２５）
のように計算することができ、ここで、ＳＩＮＲｅｓｔ（ＣＱＩ）は、ＷＴＲＵがＵＬ  ＣＱＩフィードバックから導き出す、ｅＮｏｄｅＢで受信されるＳＩＮＲ推定を表す。Ｅ｛ＳＩＮＲｅｓｔ（ＣＱＩ）｝は、以下などによる推定ＳＩＮＲの時間にわたる平均を表す。
【０１０２】
Ｅ｛ＳＩＮＲｅｓｔ（ＣＱＩｋ）｝＝ρ・Ｅ｛ＳＩＮＲｅｓｔ（ＣＱＩｋ−１）｝＋（１−ρ）・Ｅ｛ＳＩＮＲｅｓｔ（ＣＱＩｋ）｝；    式（２６）
ここで、ＣＱＩｋは、第ｋの受信ＣＱＩを表し、ρは、０≦ρ≦１の平均フィルタ係数である。
【０１０３】
上の式（２５）において与えられた、目標ＳＩＮＲと（報告されたＣＱＩから導き出される）推定ＳＩＮＲとの間の差による補正係数は、補償される必要があるオープンループＰＣ関連の誤差を表す。
【０１０４】
ＷＴＲＵの総送信電力は、それぞれｄＢｍ単位の、最大電力レベルＰｍａｘと最小電力レベルＰｍｉｎとの範囲内にあるべきであり、最大および最小電力レベルは、ＷＴＲＵクラスに基づいて決定される。
【０１０５】
ｅＮｏｄｅＢ３０は、好ましくは、ＷＴＲＵ（または複数のＷＴＲＵのうちのサブグループ）固有のパラメータである目標ＳＩＮＲレベル、ＳＩＮＲＴを含むパラメータをシグナリングし、目標ＳＩＲは、目標ＢＬＥＲのようなＱｏＳに基づいて、アウターループ機構を介して調整することができる。目標ＳＩＮＲは、経路損失測定の関数とすることもできる。目標ＳＩＲのシグナリングは、インバンドＬ１／２制御信号を介して、その調整時に行われる。ｅＮｏｄｅＢ固有のパラメータである電力制御マージンＫも、ｅＮｏｄｅＢ３０によってシグナリングされる。Ｋは、好ましくは、半静的であり、ブロードキャストチャネル（ＢＣＨ）を介してシグナリングされる。Ｋが他のパラメータとともに別途シグナリングされると仮定しても、Ｋは目標ＳＩＮＲに埋め込まれることができ、すなわち、ＳＩＮＲＴ（埋め込み後）＝ＳＩＮＲＴ＋Ｋ  （ｄＢ）とすることができることに留意されたい。この場合、ＷＴＲＵ２０へのＫの明示的なシグナリングは必要とされない。
【０１０６】
ｅＮｏｄｅＢ３０はさらに、使用されるすべてのサブキャリア（もしくはＲＢ）またはサブキャリアのサブセットにわたって平均された、総ＵＬ干渉および雑音レベルＩＮ０をシグナリングする。このパラメータは、好ましくは、サービングｅＮｏｄｅＢ３０によって導き出される（場合によってはＢＣＨを介してシグナリングされる）。この信号の更新レートは一般に、相対的に低い。最大および最小ＵＬ電力レベルＰｍａｘおよびＰｍｉｎも、ｅＮｏｄｅＢ３０によってシグナリングされる。各々は、ＷＴＲＵ機能依存のパラメータとすることができるか、またはｅＮｏｄｅＢ３０によって明白にシグナリングすることができるかのどちらかである。
【０１０７】
ＵＬ  ＡＭＣの目的で（ＴＴＩ当たり１回の最大シグナリングレート、例えば１０００Ｈｚで）最初はシグナリングされる、ＵＬチャネル品質インジケータＣＱＩ（例えばＵＬ  ＭＣＳまたは許可情報）。
【０１０８】
ｅＮｏｄｅＢがＣＱＩフィードバック生成のために使用する、ＣＱＩマッピング規則（またはＣＱＩと測定ＳＩＮＲの間のバイアス）。この規則またはパラメータは組み合わせて、目標ＳＩＮＲとすることができる。この場合、規則（またはパラメータ）の明示的なシグナリングは必要とされない。
【０１０９】
各ｅＮｏｄｅＢからのＵＬ干渉負荷インジケータ。
【０１１０】
セル内部ゾーンとセル周縁ゾーンの間の仮想境界レイヤを表す、半静的パラメータＲ。
【０１１１】
開示されるＰＣ方法は、低速ベースでＷＴＲＵにブロードキャスト（または直接シグナリング）することができる、目標ＳＩＮＲ、セル干渉／雑音レベル、ならびに参照信号送信電力および定数値を含む、上で列挙されたシステムパラメータ以外の、付加的なフィードバックＰＣコマンドを必要としない。
【０１１２】
開示されるＰＣ方法は、Ｅ−ＵＴＲＡ要件を満たすために、動的なシステム／リンクパラメータ（目標ＳＩＮＲおよびセル間干渉負荷状態）と、チャネル状態（経路損失および遮蔽）とに対して、柔軟で適応的であるように設計されている。
【０１１３】
さらに、この開示される方法は、ＡＭＣ、ＨＡＲＱおよび適応ＭＩＭＯなど、他のリンク適応方式と両立可能である。
【０１１４】
セル間干渉緩和の代替方法では、各ｅＮｏｄｅＢから干渉負荷インジケータをブロードキャストする代わりに、サービングｅＮｏｄｅＢ３０が、他のセル４０とセル間干渉レベルを調整することができ、目標ＳＩＲ、電力制御マージンＫまたは場合によってはＰｍａｘをしかるべく調整することを通して、それらを具体化することができる。
【０１１５】
実施形態
１．無線送受信ユニット（ＷＴＲＵ）の送信電力を制御する方法であって、
経路損失測定に基づいてオープンループアップリンク（ＵＬ）電力制御（ＰＣ）成分を決定するステップと、
補正係数を含むクローズドループ電力制御成分を決定するステップと、
送信電力を決定するために前記オープンループ成分および前記クローズドループ成分を電力オフセットと組み合わせるステップと
を含む方法。
【０１１６】
２．ＰＣ補正コマンドを受信するステップであって、前記補正係数は、前記補正コマンドまたは累積補正コマンドに基づくステップ
をさらに含む実施形態１に記載の方法。
【０１１７】
３．前記ＰＣ補正コマンドは、予め設定されたシグナリング時間に受信される実施形態２に記載の方法。
【０１１８】
４．前記予め設定されたシグナリング時間は、特定のＵＬ許可中にある実施形態３に記載の方法。
【０１１９】
５．前記ＵＬ許可は、ハイブリッドアクセス再送要求（ＨＡＲＱ）プロセスである実施形態４に記載の方法。
【０１２０】
６．前記オープンループＰＣ成分は、経路損失変動に基づく実施形態２〜５のいずれかに記載の方法。
【０１２１】
７．前記経路損失変動は、不連続送信以前の経路損失とＵＬ送信再開以前の時間の間の変動である実施形態６に記載の方法。
【０１２２】
８．前記ＰＣ補正コマンドは、リンク品質に基づいて決定される複数のコマンドビットを使用する実施形態２〜７のいずれかに記載の方法。
【０１２３】
９．前記補正係数は、以下の式を使用して決定され、
【０１２４】
【数１２】
0005457537.tif 000013
【０１２５】
ここで、ＥＳＩＮＲｅｓｔおよびＳＩＮＲｔａｒｇｅｔは、実効信号対干渉雑音比（ＥＳＩＮＲ）および目標ＳＩＮＲを表す実施形態１〜８のいずれかに記載の方法。
【０１２６】
１０．前記受信ＰＣ補正コマンドから前記補正コマンドを計算するステップ
をさらに含む実施形態２〜９のいずれかに記載の方法。
【０１２７】
１１．次の送信電力更新まで前記送信電力を次のアップリンク送信時間間隔（ＴＴＩ）の最初に適用するステップ
をさらに含む実施形態１〜１０のいずれかに記載の方法。
【０１２８】
１２．前記補正係数は、初期アップリンク送信においてゼロ（０）である実施形態１〜１１のいずれかに記載の方法。
【０１２９】
１３．前記補正係数は、アップリンク許可割り当てである実施形態１〜１２のいずれかに記載の方法。
【０１３０】
１４．前記許可ベースの補正係数は、以下の式を使用して決定され、
ｆ（ＵＬ許可割り当て，ＳＩＮＴＴ）＝ＳＩＮＲＴ−Ｅ｛ＳＩＮＲｅｓｔ（ＵＬ許可割り当て）｝；
ここで、ＳＩＮＲｅｓｔ（ＵＬ許可割り当て）は、ＷＴＲＵが前記ＵＬ許可割り当てから導き出す、ｅＮｏｄｅＢで受信されるＳＩＮＲ推定を表す実施形態１３に記載の方法。
【０１３１】
１５．受信補正係数符号に基づいて前記許可ベースの補正係数を使用するかどうかを決定するステップ
をさらに含む実施形態１４に記載の方法。
【０１３２】
１６．受信ＭＣＳ不一致インジケータに基づいて前記許可ベースの補正係数を使用するかどうかを決定するステップ
をさらに含む実施形態１４に記載の方法。
【０１３３】
１７．受信ＭＣＳ不一致インジケータに基づいて明示的な補正コマンドを使用するかどうかを決定するステップ
をさらに含む実施形態１４に記載の方法。
【０１３４】
１８．干渉負荷インジケータを決定するステップであって、前記干渉負荷インジケータは、最強の近隣セルから決定される、ステップ
をさらに含む実施形態１〜１７のいずれかに記載の方法。
【０１３５】
１９．前記送信電力は、ダウンリンク参照信号に基づき、前記干渉負荷インジケータは、セル間干渉を緩和するために使用される実施形態１８に記載の方法。
【０１３６】
２０．実施形態１〜１９のいずれかに記載の方法を実施するように構成されたプロセッサを備える無線送受信ユニット（ＷＴＲＵ）。
【０１３７】
２１．実施形態１〜１９のいずれかに記載の方法を実施するように構成されたプロセッサを備えるノードＢ。
【０１３８】
上では特徴および要素が特定の組み合わせで説明されたが、各特徴または要素は、他の特徴および要素を伴わずに単独で使用することができ、または他の特徴および要素を伴うもしくは伴わない様々な組み合わせで使用することができる。本明細書で提供された方法またはフローチャートは、汎用コンピュータまたはプロセッサによる実行のための、コンピュータ読取り可能記憶媒体内に含まれる、コンピュータプログラム、ソフトウェア、またはファームウェアで実施することができる。コンピュータ読取り可能記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含む。
【０１３９】
適切なプロセッサは、一例として、汎用プロセッサ、専用プロセッサ、従来型プロセッサ、デジタル信号プロセッサ（ＤＳＰ）、複数のマイクロプロセッサ、ＤＳＰコアと連携する１つもしくは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および／または状態機械を含む。
【０１４０】
ソフトウェアと連携するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用される無線周波数送受信機を実装するために使用することができる。ＷＴＲＵは、カメラ、ビデオカメラモジュール、ビデオフォン、スピーカフォン、バイブレーションデバイス、スピーカ、マイクロフォン、テレビ送受信機、ハンズフリーヘッドセット、キーボード、Ｂｌｕｅｔｏｏｔｈ（登録商標）モジュール、周波数変調（ＦＭ）ラジオユニット、液晶表示（ＬＣＤ）ディスプレイユニット、有機発光ダイオード（ＯＬＥＤ）ディスプレイユニット、デジタル音楽プレーヤ、メディアプレーヤ、ビデオゲームプレーヤモジュール、インターネットブラウザ、および／または任意の無線ローカルエリアネットワーク（ＷＬＡＮ）モジュールもしくは超広帯域（ＵＷＢ）モジュールなどの、ハードウェアおよび／またはソフトウェアで実施されるモジュールと併せて使用することができる。
【産業上の利用可能性】
【０１４１】
本発明は、一般的に無線通信システムに利用することができる。特に、送信電力制御の改良された方法を実現できる。
【符号の説明】
【０１４２】
２０、１１０  ＷＴＲＵ
３０、１２０  ノードＢ
４０  セル
１１５、１２５  プロセッサ
１１６、１２６  受信機
１１７、１２７  送信機
【図１】
0005457537.tif 000014
【図２】
0005457537.tif 000015
【図３】
0005457537.tif 000016
【図４】
0005457537.tif 000017
【図５】
0005457537.tif 000018
【図６】
0005457537.tif 000019
【図７】
0005457537.tif 000020
【図８】
0005457537.tif 000021